(57)【要約】【課題】大小二種類の端子を混在して二段に配置するコネクタ構造において、端子係止用の二つのサイドスペーサのコストアップや誤組付等を解消する。【解決手段】コネクタハウジング７に複数の端子収容室８，９を二列に設けたコネクタ構造において、一列目の大小の各端子収容室８，９と二列目の大小の各端子収容室８，９とを点対称に配置した。コネクタハウジング内に又はコネクタハウジング６４から突出して複数の雄端子６８，６９を二列に設けたコネクタ構造において、一列目の大小の各雄端子６８，６９と二列目の大小の各雄端子６８，６９とを点対称に配置した。各列の端子収容室８，９内の雌端子７３，７４又は各列の雄端子６８，６９に対して各列ごとに同じ形状・大きさのサイドスペーサ２２を挿着した。【選択図】図１
2006049179.tif 000002
【特許請求の範囲】
【請求項１】
コネクタハウジングに複数の端子収容室を二列に設けたコネクタ構造において、一列目の大小の各端子収容室と二列目の大小の各端子収容室とが点対称に配置されたことを特徴とするコネクタ構造。
【請求項２】
コネクタハウジング内に又はコネクタハウジングから突出して複数の雄端子を二列に設けたコネクタ構造において、一列目の大小の各雄端子と二列目の大小の各雄端子とが点対称に配置されたことを特徴とするコネクタ構造。
【請求項３】
請求項１記載の前記各列の端子収容室内の雌端子又は請求項２記載の前記各列の雄端子に対して各列ごとに同じ形状・大きさのサイドスペーサが挿着されたことを特徴とするコネクタ構造。
【発明の詳細な説明】
【技術分野】
【０００１】
本発明は、コネクタハウジング内やコネクタハウジングから突出した二列の各端子を点対称に配置したコネクタ構造に関するものである。
【背景技術】
【０００２】
図１４は従来のコネクタ構造の一形態を示すものである（特許文献１参照）。
【０００３】
このコネクタ構造は、合成樹脂製のコネクタハウジング９２内に合成樹脂製のサイドスペーサ９３を挿着すると共に、サイドスペーサ９３の仮係止状態（コネクタハウジング９２から外部に少し突出させた状態）で大小二種類の端子９４，９５をコネクタハウジング９２の各端子収容室９６，９７内に挿入し、サイドスペーサ９３を押し込んで本係止させると同時に、各端子９４，９５をサイドスペーサ９３で係止させるものである。コネクタハウジング９２とサイドスペーサ９３と各端子９４，９５とでコネクタ９１が構成される。
【０００４】
コネクタハウジング９２の一壁部９８にサイドスペーサ挿入用の開口９９が設けられ、サイドスペーサ９３は端子係止用の複数の突板部１００を有し、突出板１００に直交して端子係止突部１０１を有している。コネクタハウジング９２には突板部１００に直交して複数段（本例で三段）に端子収容室９６，９７が設けられ、本例では大形の端子９４をコネクタハウジング９２の中央寄りに収容し、その両側に小形の端子９５を収容する。各端子９４，９５はコネクタハウジング内の可撓性の係止ランス（図示せず）で一次係止され、サイドスペーサ９３で二次係止される。
【特許文献１】特開平１−５４６７７号公報（第１図）
【発明の開示】
【発明が解決しようとする課題】
【０００５】
しかしながら、上記従来のコネクタ構造にあっては、例えばコネクタハウジング９２の中間段部の位置に空部等が配置された場合に、コネクタハウジングの両側から二つのサイドスペーサを挿入して各段の端子９４，９５を係止させることが必要となる。この場合、二種類の異なる形状のサイドスペーサが必要となるために、サイドスペーサにかかるコストが増大すると共に、サイドスペーサの誤組付等が発生する心配が生じる。
【０００６】
また、大小の端子９４，９５をコネクタハウジングの各段の端子収容室９６，９７に挿入する際に、例えば二つの大形の端子収容室９６の位置が図１４とは異なる場所に設定されている場合には、上段と下段とで例えば左端からの端子９４，９５の挿入順が異なるために、端子９４，９５の挿入順の設定が面倒であり、また、図１４のように大形の端子収容室９６が上下に隣接していても、上側の大形の端子９４を挿入し、次いで下側の大形の端子９４を挿入する場合に、上側の挿入済みの端子９４に接続された電線１０２が下側の端子収容室９６の開口を塞いで、下側の端子９４の挿入に際して上側の電線１０２を掻き分ける治具や操作を必要とし、端子挿入作業が面倒になるという問題を生じた。
【０００７】
本発明は、上記した点に鑑み、大小二種類の端子を混在して少なくとも二段に配置するコネクタ構造において、端子係止用の二つのサイドスペーサのコストアップや誤組付をなくし、しかもコネクタの各段の端子収容室に端子を容易に効率良く挿入することのできるコネクタ構造を提供することを目的とする。
【課題を解決するための手段】
【０００８】
上記目的を達成するために、本発明の請求項１に係るコネクタ構造は、コネクタハウジングに複数の端子収容室を二列に設けたコネクタ構造において、一列目の大小の各端子収容室と二列目の大小の各端子収容室とが点対称に配置されたことを特徴とする。
【０００９】
上記構成により、コネクタハウジング内の一列目の端子収容室が例えば左端から小、大、小、大、大と配設された場合、二列目の端子収容室は一列目と点対称に右端から小、大、小、大、大（左端から大、大、小、大、小）と配設される。大小の端子収容室の配置形態は回路形態に応じて適宜設定可能である。コネクタハウジングの一列目の端子収容室に対応する端子係止用のサイドスペーサは左端から小、大、小、大、大の各雌端子を係止し、二列目の端子収容室に対応する端子係止用のサイドスペーサは一列目の端子収容室に対応するサイドスペーサと同じものを左右反転させて、右端から小、大、小、大、大の各雌端子を係止する。また、コネクタハウジングの一列目の端子収容室を上側にして横（水平）方向に並列に位置させ、二列目の端子収容室を下側にして横（水平）方向に並列に位置させた状態で、例えば一列目の各端子収容室に左端側から順に電線付きの雌端子を挿入し、次いでコネクタハウジングを上下反転させて二列目の端子収容室を上側に位置させて、二列目の端子収容室に左端側から一列目と同じ順で雌端子を挿入することができる。
【００１０】
請求項２に係るコネクタ構造は、コネクタハウジング内に又はコネクタハウジングから突出して複数の雄端子を二列に設けたコネクタ構造において、一列目の大小の各雄端子と二列目の大小の各雄端子とが点対称に配置されたことを特徴とする。
【００１１】
上記構成により、コネクタハウジング内又はコネクタハウジングから突出した一列目の雄端子が例えば左端から小、大、小、大、大と配設された場合、二列目の雄端子は一列目と点対称に右端から小、大、小、大、大（左端から大、大、小、大、小）と配設される。大小の雄端子の配置形態は回路形態に応じて適宜設定可能である。一列目の雄端子に対応した端子係止用のサイドスペーサはコネクタハウジング内で左端から小、大、小、大、大の各雄端子を係止し、二列目の雄端子に対応した端子係止用のサイドスペーサは一列目の雄端子に対応したサイドスペーサと同じものを左右反転させて、コネクタハウジング内で右端から小、大、小、大、大の各雄端子を係止する。また、コネクタハウジングの一列目の端子収容室を上側にして横（水平）方向に並列に位置させ、二列目の端子収容室を下側にして横（水平）方向に並列に位置させた状態で、例えば一列目の各端子収容室に左端側から順に電線付きの雄端子を挿入し、次いでコネクタハウジングを上下反転させて二列目の端子収容室を上側に位置させて、二列目の端子収容室に左端側から一列目と同じ順で雄端子を挿入することができる。
【００１２】
請求項３に係るコネクタ構造は、請求項１記載の前記各列の端子収容室８，９内の雌端子７３，７４又は請求項２記載の前記各列の雄端子６８，６９に対して各列ごとに同じ形状・大きさのサイドスペーサ２２が挿着されたことを特徴とする。
【００１３】
上記構成により、請求項１において、コネクタハウジング内の一列目の端子収容室が例えば左端から小、大、小、大、大と配設された場合、二列目の端子収容室は一列目と点対称に右端から小、大、小、大、大（左端から大、大、小、大、小）と配設される。大小の端子収容室の配置形態は回路形態に応じて適宜設定可能である。コネクタハウジングの一列目の端子収容室に対応する端子係止用のサイドスペーサは左端から小、大、小、大、大の各雌端子を係止し、二列目の端子収容室に対応する端子係止用のサイドスペーサは一列目の端子収容室に対応するサイドスペーサと同じものを左右反転させて、右端から小、大、小、大、大の各雌端子を係止する。また、請求項２において、コネクタハウジング内又はコネクタハウジングから突出した一列目の雄端子が例えば左端から小、大、小、大、大と配設された場合、二列目の雄端子は一列目と点対称に右端から小、大、小、大、大（左端から大、大、小、大、小）と配設される。大小の雄端子の配置形態は回路形態に応じて適宜設定可能である。一列目の雄端子に対応した端子係止用のサイドスペーサはコネクタハウジング内で左端から小、大、小、大、大の各雄端子を係止し、二列目の雄端子に対応した端子係止用のサイドスペーサは一列目の雄端子に対応したサイドスペーサと同じものを左右反転させて、コネクタハウジング内で右端から小、大、小、大、大の各雄端子を係止する。
【発明の効果】
【００１４】
請求項１記載の発明によれば、二列の大小の端子収容室が点対称に配置されたことで、各列ごとに端子を同じ形状・大きさのサイドスペーサで係止させることができ、サイドスペーサの共用化によりコストが低減されると共に、端子挿入時に列ごとにコネクタハウジングを反転させて端子を同じ順序で挿入することができ、端子挿入作業が容易化・効率化される。
【００１５】
請求項２記載の発明によれば、二列の大小の雄端子が点対称に配置されたことで、各列ごとに雄端子を同じ形状・大きさのサイドスペーサで係止させることができ、サイドスペーサの共用化によりコストが低減されると共に、端子挿入時に列ごとにコネクタハウジングを反転させて雄端子を同じ順序で挿入することができ、端子挿入作業が容易化・効率化される。
【００１６】
請求項３記載の発明によれば、サイドスペーサの共用化により、雌端子を有するコネクタや雄端子を有するコネクタのコストが低減されると共に、サイドスペーサの誤組付が解消され、誤組付時における端子やスペーサの衝突による変形や破損等の心配が皆無となる。
【発明を実施するための最良の形態】
【００１７】
図１は、本発明に係るコネクタ構造の一実施形態とそれを備える接続モジュールの一形態を示すものである。
【００１８】
接続モジュール１は、一方のコネクタ２と、一方のコネクタ２を内側に収容係止させるフレーム３と、一方のコネクタ２に接続する他方のコネクタ４と、他方のコネクタ４を収容して他方のコネクタ４のフード部６を構成した状態でフレーム３内に挿入されるケース５とで構成されている。コネクタ構造は一方のコネクタ２及び／又は他方のコネクタ４で構成されている。
【００１９】
一方のコネクタ２は図２〜図７に示す如く、合成樹脂製のコネクタハウジング７と、コネクタハウジング７内に収容される複数の電線８６付きの雌端子７３（図５）とで構成される。コネクタハウジング７は厚さ方向の前後二列に端子収容室８，９を並列に有し、前後二列の端子収容室８，９の間でコネクタハウジング７の厚さ方向中央に空きスペース７５が設けられ、厚さ方向中央の左右両側に凹部１０が形成されている。
【００２０】
端子収容室は大形（通常の大きさ）の端子収容室８と小形の端子収容室９とで構成され、前列（一列目）の端子収容室８，９は図１で右から順に（図２で左から順に）大、大、大、小、小、大、大、小、小の順で配置され、後列（二列目）の端子収容室８，９は図１で右から順に（図２で左から順に）小、小、大、大、小、小、大、大、大の順で配置され、前列と後列の各端子収容室８，９は点対称に配置されている。
【００２１】
小形の端子収容室９の前後及び左右の幅は大形の端子収容室８の前後及び左右の幅のほぼ半分程度であり、図４（下面図）の如く前列の小形の端子収容室９の前端９ａは大形の端子収容室８の前端８ａとほぼ同一面に位置し、後列の小形の端子収容室９の後端９ａは大形の端子収容室８の後端８ａとほぼ同一面に位置している。大形の端子収容室８は相互に等ピッチで配置され、小形の端子収容室９は相互に等ピッチで配置されている。
【００２２】
大形の端子収容室８と小形の端子収容室９とは何れもコネクタハウジング７の下端から上端にかけて貫通して設けられ、図４の如く下端側に端子収容室８，９と同じ幅の端子挿入開口（符号８，９で代用する）を有し、図２（上面図）の如く前端側に端子収容室８，９の内幅よりも狭い停止壁７６と、停止壁７６の間に他方のコネクタ４（図１）の雄端子６８，６９を挿入する開口（符号８，９で代用する）とを有している。これは通常のコネクタハウジングの端子収容室におけると同様である。
【００２３】
前列の大形の端子収容室８の内部には後側から前向きに可撓性の端子係止ランス７８（図２，図４，図５）が設けられ、前列の小形の端子収容室９の内部には前側から後向きに可撓性の端子係止ランス７９（図４，図６）が設けられ、後列の大形の端子収容室８の内部には前側から後向きに可撓性の端子係止ランス７８が設けられ、後列の小形の端子収容室９の内部には後側から前向きに可撓性の端子係止ランス７９が設けられている。本例では図１のコネクタ２のリブ２０側を前と定義している。大形の端子収容室８の中心と小形の端子収容室９の中心とは同一平面上に位置している。端子収容室８，９の中心とは他方のコネクタ４（図１）の雄端子６８，６９に対する挿入中心のことである。
【００２４】
コネクタハウジング７の前後の各壁部１９，２１の高さ方向中間部（ほぼ中央）にサイドスペーサ挿入用の横長矩形状の開口（孔部）２３が設けられ、各開口２３からコネクタハウジング７内に端子二重係止用の合成樹脂製のサイドスペーサ２２が挿入されている。
【００２５】
両サイドスペーサ２２は同一形状で同一の大きさのものが共通使用されている。これは、コネクタハウジング７の前後各列の端子収容室８，９が点対称に配置されているからに外ならない。
【００２６】
サイドスペーサ２２は図８にも如く、横長厚板状の操作部８０と、操作部８０に直交する端子係止用の突出部８１，８２と、左右両端の係止爪８３（図７）とで構成されている。大形の雌端子７３（図５）に対する係止用の突出部８１は一段低く配置され、小形の雌端子（図示せず）に対する係止用の突出部８２は操作部８０の上端と同じ高さに位置している。これは小形と大形の各端子の矩形筒状の電気接触部の係止段部７３ａ（図５）の位置の相違によるものである。操作部８０にはコネクタハウジング７の前後の壁部１９，２１にかけて左右一対の抜き出し時の治具掛け用の凹部８４（図３）が設けられている。係止爪８３（図７）は、コネクタハウジング７の上下の突起８５に対する先端側の仮係止用の溝８３ａと中間の本係止用の溝８３ｂとを有している。
【００２７】
図５（図２のＡ−Ａ断面図）の如く、コネクタハウジング７の前後において各サイドスペーサ２２が外側にやや突出した状態で仮係止され、その状態で電線付きの大形の雌端子７３が端子収容室８内に挿入されて、係止ランス７８で一次係止される。
【００２８】
図６（図２のＢ−Ｂ断面図）の如く、小形の端子収容室９においても同様に、各サイドスペーサ２２の仮係止状態で電線８７付きの小形の雌端子７４が各端子収容室９内に挿入されて、係止ランス７９で一次係止される。
【００２９】
大小全ての雌端子７３，７４が挿入された後、各サイドスペーサ２２が押し込まれて本係止され、それと同時に、サイドスペーサ２２の操作部８０に直交した突出部８１，８２が各雌端子７３，７４の段部７３ａ，７４ａである矩形筒状の電気接触部の下端に当接して二次係止させる。雌端子７３，７４の電気接触部は内側に他方のコネクタ４（図１）の雄端子６８，６９に対する弾性接触片を有している。雌端子７３，７４は圧着片で電線８６，８７に圧着接続されている。
【００３０】
図７（図４のＣ−Ｃ断面図）の如く、各スペーサ２２は左右端の上下各一対の係止爪８３でコネクタハウジング７の前後の壁部１９，２１に仮係止される。図４の如くコネクタハウジング７の前側の壁部１９の左端側に大形の端子収容室８が位置し、大形の端子収容室８の左端に隣接連通してスペーサ１１の係止爪８３の先端部を挿入する空間８８が設けられ、空間８８はコネクタハウジング７の下端にかけて連通し、スペーサ挿入用の開口（孔部）２３と空間８８（図７）は直交し、開口２３と空間８８の交差部（開口２３の後端）に突起８５（図７）が設けられ、突起８５がスペーサ２２の先端側の溝８３ａに係合してスペーサ２２が仮係止されている。スペーサ２２を押し込むことで突起８５が基端側の溝８３ｂに係合して本係止される。
【００３１】
これはコネクタハウジング７の後側の壁部２１においても同様である。すなわち、図４の如くコネクタハウジング７の後壁２１の左端側には小形の端子収容室９が位置し、小形の端子収容室９の左端と後端とに隣接して略Ｌ字状の空間８９が設けられ、空間８９はコネクタハウジング７の下端にかけて連通し、スペーサ挿入用の開口２３と空間８９とは直交し、その交差部に突起８５が設けられ、突起８５にスペーサ２２の先端側の溝８３ａが係合して、スペーサ２２が仮係止されている。スペーサ２２を押し込むことで突起８５が基端側の溝８３ｂに係合して本係止される。
【００３２】
なお、本明細書ではコネクタハウジング７の幅広な壁面１９，２１側を前後、幅狭な壁面１２（図３）側を左右としているが、前後左右上下の定義はあくまでも説明の便宜上のものであり、接続モジュール１の取付方向と必ずしも一致するものではない。
【００３３】
コネクタハウジング７の左右両側の各凹部１０内には、フレーム３（図１）に対する可撓性の係止アーム１１が下向きに設けられ、凹部１０の両側で左右両側壁１２の上部に、ケース５（図１）に対する前後各一対のロック突起１３が設けられ、コネクタハウジング７の下端の四角部に、フレーム３に対する停止用の鍔部１４が設けられている。
【００３４】
フレーム３（図９）は合成樹脂を材料として、矩形筒状のフレーム本体２６と、フレーム本体２６を車両ボディ等の固定側に固定するブラケット２７とで一体に構成されている。フレーム本体２６は前後左右の垂直な壁部を備え、左右の壁部３０，３１の下端内面側から内向きに、一方のコネクタ２（図１）の係止アーム１１に対する一対の係合突部３２が対向して設けられている。
【００３５】
一方のコネクタ２（図２）はフレーム３の下部開口３７（図９）からフレーム３内に挿入され、係合突部３２に一方のコネクタ２の係止アーム１１（図２）が係止され、それと同時に一方のコネクタ２の鍔部１４（図２）がフレーム３の下端側の内鍔部３８に当接する。一方のコネクタ２はフレーム内で待ち受けコネクタとして作用する。
【００３６】
フレーム３（図９）の前側の壁部２８において鍔部３８の左右端の外側に、一方のコネクタ２の前壁側のリブ２０（図１）に対する位置決め用の一対の切欠溝（図示せず）が設けられ、各切欠溝に連通して前側の壁部２８の内面に垂直方向の一対のガイド凹部４１が設けられ、ガイド凹部４１の外側に隣接して前側の壁部２８と後側の壁部との上半部側の左右端に沿って垂直方向の各一対のガイド溝４２（図１，図９）が設けられている。
【００３７】
ケース５（図１０）は合成樹脂を材料として、天壁４４の有る矩形筒状に形成され、左右の壁部４５，４６の下部側に、他方のコネクタ４（図１）に対する可撓性のロック片４７が設けられると共に、ロック片４７の上側において左右の壁部４５，４６に、フレーム３（図１）に対する各一対のガイドレール４８，４９が設けられ、前側の壁部の下半部内面側に、一方のコネクタ２のリブ２０とフレーム３のガイド凹部４１とに対するスライド係合用の左右一対のガイド凹部５２（図１）が設けられ、ガイド凹部５２の上側において前後の壁部５０，５１に、他方のコネクタ４に対する各一対の係止孔５３が設けられている。
【００３８】
ケース５は下部開口６２（図１１）から内側に他方のコネクタ４を嵌合させた状態で、フレーム３の上部開口６３（図９）から下向きに挿入され、フレーム３の下部側に係止された一方のコネクタ２に他方のコネクタ４が接合して電気的に接続される。
【００３９】
本例の他方のコネクタ４（図１１〜図１３）は、合成樹脂製の中空矩形枠状のコネクタハウジング６４と、コネクタハウジング内に収容配索された複数本の導電金属製のバスバー６５と、コネクタハウジング内でバスバー６５に接続されたリレー６６と、バスバー６５の途中に接続された抵抗６７と、コネクタハウジング６４から外部に突出されたバスバー端末の雄端子６８，６９とで構成されている。
【００４０】
雄端子６８，６９は図１２，図１３の如くコネクタハウジング６４の前後二列に配置され、各列の雄端子は幅広（断面長方形状）で長いタブ端子６８と幅狭（断面正方形状）で短いピン端子６９とで構成され、前列（一列目）の雄端子は左端からタブ端子、タブ端子、タブ端子、ピン端子、ピン端子、タブ端子、タブ端子、ピン端子、ピン端子の順で配置され、後列（二列目）の雄端子は左端からピン端子、ピン端子、タブ端子、タブ端子、ピン端子、ピン端子、タブ端子、タブ端子、タブ端子の順で配置されている。このように二列の各雄端子６８，６９はそれぞれ点対称に配置されている。
【００４１】
各タブ端子６８は一方のコネクタ２の大形の端子収容室８内の大きな各雌端子７３（図５）に挿入接続され、各ピン端子６９は同じく小形の端子収容室９内の小さな各雌端子７４（図６）に挿入接続される。二列の雄端子６８，６９は二列の雌端子７３，７４に対応して点対称に配置されている。コネクタハウジング６４内でタブ端子６８は幅広のバスバー６５に一体に続き、ピン端子６９は幅狭のバスバー６５に一体に続いている。各バスバー６５は枠状のコネクタハウジング６４にモールド成形等で固定されている。
【００４２】
雄・雌両端子６８，６９、７３，７４の点対称配置によって、一方のコネクタ２の前後一対のサイドスペーサ２２の共用化が図られると共に、他方のコネクタ４がバスバー６５ではなく電線付きの雄端子を備えた際における雄端子係止用の前後一対のサイドスペーサ（図示せず）の共用化が可能となる。
【００４３】
タブ端子６８がピン端子６９よりも長く突出し、大形の雌端子７３にピン端子６９よりも先に挿入され、次いでピン端子６９が小形の雌端子７４に挿入される。これにより、細いピン端子６９のこじり等による曲がり変形等が防止され、雄・雌両端子６８，６９、７３，７４の接続がスムーズ且つ確実に行われる。
【００４４】
本例の他方のコネクタ４はコネクタハウジング６４の厚さ方向中央から二分割され、コネクタハウジング６４は前後の壁部を開放して枠壁として、枠壁の開口７７からバスバー６５とリレー６６の端子６６ａや抵抗６７の端子６７ａとを溶接接続可能としている。これにより、コネクタハウジング６４の前後の開口７７を覆うケース５が必要となっている。各分割コネクタにはそれぞれバスバー６５とリレー６６と抵抗６７とが配設され、リレー６６の位置は各分割コネクタで異なり、両分割コネクタを合体した際に、各リレー６６が交互（互い違い）や千鳥状に位置するようになっている。図１ではコネクタハウジング６４を五方（上側及び前後左右）の壁部で構成した例を示している。
【００４５】
両分割コネクタにおいて中央の分割面側からリレー６６や抵抗６７をバスバー６５に接続（溶接）するようにすれば、コネクタハウジング６４に前後の壁部を設け、且つ前後左右の壁部を雄端子突出方向に延長してフード部６を構成することも可能であり、コネクタハウジング６４の左右の壁部にガイドレール４８，４９を設けたり、フード部６にロック片４７やガイド凹部５２を設ければ、ケース５は省略可能である。
【００４６】
本例のコネクタハウジング６４においては、前後の枠壁の下端側（雄端子６８，６９側）に左右一対の係合突起５４が設けられており、他方のコネクタ４をケース５の下部開口６２からケース５内に挿入（嵌合）することで、係合突起５４がケース５の係止孔５３に係合し、他方のコネクタ４の上壁７０がケース５の上壁４４の内面に接して位置する。係合突起５４をコネクタ４の中央に一つ設け、係止孔５３をケース５の中央に一つ設けることも可能である。これら細部の構成は必要に応じて適宜変更可能である。
【００４７】
他方のコネクタ４として、例えばコネクタハウジング（図示せず）にショート端子（図示せず）を設けたり、あるいはワイヤハーネス用のコネクタ（図示せず）を用いて、コネクタハウジング内に電線付きの雄端子（図示せず）を収容し、電線をコネクタハウジングから上方に導出させることも可能である。これらの場合もコネクタハウジングにロック片４７やガイドレール４８，４９等を一体に設けることでケース５は不要となる。
【００４８】
本例においては他方のコネクタ４ごとケース５をフレーム３内に挿入することで、他方のコネクタ４の前端面が一方のコネクタ２の前端面に接し、他方のコネクタ４の雄端子６８，６９が一方のコネクタ２の端子収容室８，９内の雌端子７３，７４に挿入接続される。
【００４９】
なお、一方のコネクタ２の端子収容室８，９の配置は上記実施形態に限らず、例えばコネクタハウジング７の一列目の左端から大、大、小、小、大、大、小、小、小の端子収容室の配置としたり、あるいは一列目の左端から小、大、小、大又は大、小、大、小としたり、あるいは一列目を左端から小、大、大、小、大、大又は大、小、小、大、小、小とする等、大小の端子収容室８，９の配置は回路形態に応じて適宜設定可能である。何れの場合も二列目の端子収容室８，９は一列目の点対称に配置されることは言うまでもない。
【００５０】
上記一方のコネクタ２の端子収容室８，９に対応して他方のコネクタ４の二列の雄端子６８，６９の配置も同様に変更されることは勿論である。他方のコネクタ４の雄端子６８，６９はコネクタハウジング６４から突出して、ケース５のフード部６内に位置したり、あるいはコネクタハウジング６４と一体の図示しないフード部内に突出して位置する。ケース５を用いずにコネクタハウジング６４の一部でフード部６を構成する場合、コネクタハウジング６４の大小の端子収容室（図示せず）に一方のコネクタ２と同様に電線付きの雄端子６８，６９を左端又は右端から順に挿入することができる。
【図面の簡単な説明】
【００５１】
【図１】本発明に係るコネクタ構造の一実施形態を備える接続モジュールの一例を示す分解斜視図である。
【図２】一方のコネクタの一形態を示す平面図である。
【図３】同じく一方のコネクタを示す正面図である。
【図４】同じく一方のコネクタの左半部を示す下方視平面図である。
【図５】図２のＡ−Ａ断面図である。
【図６】図２のＢ−Ｂ断面図である。
【図７】図４のＣ−Ｃ断面図である。
【図８】一方のコネクタのサイドスペーサを示す裏面図である。
【図９】一方のコネクタを係止するフレームの一形態を示す縦断面図である。
【図１０】他方のコネクタを係止するケースを示す正面図である。
【図１１】ケース内の他方のコネクタの一形態を示す縦断面図である。
【図１２】同じくケース内の他方のコネクタを示す下方視平面図である。
【図１３】同じくケース内の他方のコネクタの雄端子を示す縦断面図である。
【図１４】従来のコネクタ構造の一形態を示す分解斜視図である。
【符号の説明】
【００５２】
２，４      コネクタ
７，６４    コネクタハウジング
８，９      端子収容室
２２        サイドスペーサ
６８，６９  雄端子
７３，７４  雌端子
【図１】
2006049179.tif 000003
【図２】
2006049179.tif 000004
【図３】
2006049179.tif 000005
【図４】
2006049179.tif 000006
【図５】
2006049179.tif 000007
【図６】
2006049179.tif 000008
【図７】
2006049179.tif 000009
【図８】
2006049179.tif 000010
【図９】
2006049179.tif 000011
【図１０】
2006049179.tif 000012
【図１１】
2006049179.tif 000013
【図１２】
2006049179.tif 000014
【図１３】
2006049179.tif 000015
【図１４】
2006049179.tif 000016